(57)【要約】【課題】  水や水溶液等の液体を概略均等な流量の流れに分流でき、動力を使わず、しかも、構造が簡単な装置を開発するのが課題であり、特に微量な流量の場合でも分流できる装置を開発するのが課題である。【解決手段】  水や水溶液等の液体を、サイホン現象を起こす構造を有するサイホン槽に受け、サイホン現象により大きな流れとしてサイホン槽より流出する液体を、概略均等に分配貯留出来、上部には外気に通ずる通気口を有する、複数の分割槽を有する分流槽に導き、分割槽の下部の分流管より目的の場所に供給することを特徴とする液体分流供給装置により解決出来る。【選択図】図１
2007195525.tif 000002
【特許請求の範囲】
【請求項１】
水や水溶液等の液体分流供給装置であって、サイホン現象を起こす構造を有するサイホン槽と、前記サイホン槽より流出する液体を均等に分配貯留する複数の分割槽を有する分流槽よりなり、前記分割槽は下部に排出管を有し、その上部に通気口を有していることを特徴とする液体分流供給装置。
【請求項２】
請求項１の分割槽の容積は、前記サイホン槽の有効貯水容量を分割槽の数で割った値以上とすることを特徴とする液体分流供給装置。
【請求項３】
請求項１のサイホン槽は、そのサイホン現象をより確実に発生させるため、その上方に予備サイホン槽を備えていることを特徴とする液体分流供給装置。
【発明の詳細な説明】
【技術分野】
【０００１】  本発明は、１つの液体の流れを概略均等な流量の複数の流れに分流し、他所へ供給する分流供給の技術分野に属する。
【背景技術】
【０００２】  従来の技術としては、特願２００１−２３９９１４（園芸用水遣機の制御方法と排出液の分配方法）があり、水槽の水をサイホン効果を起こす分配受槽に受け、前記分配受槽の底部にある受槽溢流管の下部に挿入してある複数のパイプに水を流入させる事により、パイプの数と同じ複数の水流に分配させている。【０００３】  また、他の一般方法としては、水を一旦小さな受槽に貯め、ポンプにより加圧した後、均等な条件を有する複数の小穴などの開口部から吐出させる方法があり、園芸の水遣等のように、高い流量精度が必要ない場合によく使われる。
【発明が解決しようとする課題】
【０００４】  特願２００１−２３９９１４（園芸用水遣機の制御方法と排出液の分配方法）では、受槽溢流管の下部に挿入してある複数のパイプと鉢などの水の最終到達箇所との間のチューブの長さの違いや、位置関係の違い（鉢同士の設置場所の高さの違い等）により、受槽溢流管が水の最終到達箇所よりも高い位置にあっても、分配される水量が異なる事が判明した。本発明ではこのようなチューブの長さや位置関係により分配される水量が異なる現象を排除する方法を開発することである。
【０００５】  また、ポンプで加圧された加圧エネルギーにより水を小穴より吐出させる様な一般的な方法ではなく、水の圧力が小さい場合でも、さらに、ぽたぽたと流れるような微量な水の場合でも複数の流れに分配できる分流供給装置を開発することが課題である。
【発明を解決するための手段】
【０００６】  上記課題を解決するため、水や水溶液等の液体分流供給装置であって、サイホン現象を起こす構造を有するサイホン槽と、前記サイホン槽より流出する液体を均等に分配貯留する複数の分割槽を有する分流槽よりなり、前記分割槽は下部に排出管を有し、その上部に通気口を有していることを特徴とする液体分流供給装置により解決することが出来る。
【０００７】  また、上記分流槽の分割槽の容積は、上記サイホン槽の有効貯水容量を分割槽の数で割った値以上とすることを特徴とする液体分流供給装置により解決することが出来る。
【０００８】  さらに、上記サイホン槽は、そのサイホン現象をより確実に発生させるため、その上方に予備サイホン槽を備えていることを特徴とする液体分流供給装置により解決することが出来る。
【発明の第一実施例】
【０００９】  本発明の第一実施例を図１に示す。図１には本発明の液体分流供給装置を水や水溶液を使用する園芸用水遣機１００に応用した実施例が示されていて、本発明の液体分流供給装置１は、予備サイホン槽８、サイホン槽２及び分流槽４より構成されている。
【００１０】  園芸用水遣機１００では、外観を煙突のある水車小屋に模していて、本発明の液体分流供給装置１は外観を煉瓦模様１１６を施した煙突に見立てている。また、図１では園芸用水遣機１００が鉢１１１ａ、１１１ｂ、１１１ｃ、１１１ｄより極端に大きく描かれているのは、本発明の液体分流供給装置の実施例を容易に理解するためであり、実用上は５リットル前後の水槽を有する園芸用水遣機が一般的であり、家庭で使う鉢と同じ位の大きさであり、家庭用フラワースタンドに載る程度の大きさの場合が多い。
【００１１】  園芸用水遣機１００は煙突のある水車小屋を模していて、水槽１０１、架台１０２、水車１０３、固定屋根１０４、架台１０２に内臓してある駆動機構であるモーターとポンプ（図１には表示されてない）に電力を供給する太陽パネル１０５、飾りである風見鶏１０６、手で片端を持上げ水槽１０１に水を注入可能であり、水槽１０１の蓋の役目も兼ねる可動屋根１０７及び煙突に見立てた液体分流供給装置１で構成される。
【００１２】  園芸用水遣機１００の機能について説明する。水槽１０１の水は太陽パネル１０５の電力により駆動されるポンプ（図１には表示されてない）により水槽１０１から、液体分流供給装置１の予備サイホン槽８に導かれ、断続流だが流量が増した状態でサイホン槽２に流入し、サイホン槽２ではサイホン現象により予備サイホン８よりも更に増した流量の断続流で分流槽４に流入し、分流槽４で水流は４分割され、分流槽４の底部にある４本の分流管１０９ａ、１０９ｂ、１０９ｃ、１０９ｄと４本のチューブ１１０ａ、１１０ｂ、１１０ｃ、１１０ｄを通り、４本の分流管よりも低い位置にある、４つの鉢１１１ａ、１１１ｂ、１１１ｃ、１１１ｄへ供給される。
【００１３】  スイッチ１０８は太陽パネルの電力の供給の入り切りを行うものであり、屋根保持棒１１２は２つの屋根である固定屋根１０４と可動屋根１０７を支えるものであり、可動屋根１０７は屋根保持棒１１２を支点として上方へ持上げることが出来る。
【００１４】  園芸用水遣機１００には、美観を持たせるために、水槽１０１には飾りとして窓模様１１３、窓模様１１４．板塀模様１１５が装飾されている。また、液体分流供給装置１には、煉瓦模様１１６が装飾されていて、液体分流供給装置１の蓋１１８の上には風見鶏１０６が設置されている。
【００１５】  また、水槽１０１と架台１０２の間には装飾用の水車１０３が設置されているが、この水車１０３は太陽パネル１０５の電力で回転させる事も出来る。
さらに、固定屋根１０４と可動屋根１０７の上面には苔模様１１７が施されている。
【００１６】  第一実施例の園芸用水遣機１００では、水槽１０１の水を４本の分流管に分流しているが、本発明の液体分流供給装置は水槽の水の分割数は４つに限定されるものでなく、４以外の複数でもよい。
【００１７】  図２には本発明の液体分流供給装置１が示されている、図２（ａ）には液体分流供給装置１の斜視図が示されている。液体分流供給装置１は、予備サイホン槽８、サイホン槽２及び分流槽４より構成されている。予備サイホン槽８に入った水はサイホン現象により断続的だが、流量速度が増大した流れになり、曲管８３を通ってサイホン槽２に流入する。サイホン槽２の真下には分流槽４が連結されている。
分流槽４の上部には４つの通気口があるが、図２（ａ）の斜視図には手前側の２つの通気口４５ａと４５ｂが示されている。また、分流槽４の下部には４本の分流管４８ａ、４８ｂ、４８ｃ、４８ｄが垂直下方に向けて設けられている。
【００１８】  図２（ｂ）には分流槽４の分流管の他の例を示す。分流管１０９ａは分流槽の下部の破断面に示されるように４分割された分流槽の分割槽４３ａより抜き出され横方向に曲げられている、同様に分流管１０９ｂは分割槽４３ｂより抜きだされ、分流管１０９ｃは分割槽４３ｃより抜き出され、分流管１０９ｄは分割槽４３ｄより抜き出される。このように分流管を横方向に曲げるのは手前方向にチューブを接続するのに便利だからである。本発明では分流管の設け方は限定するものでなく、使用場所に都合のよい向きに設ければよい。また、分流管外套１１９は分流管を保護する枠である。
【００１９】  図３には図２（ａ）に示された液体分流供給装置１のＡ−Ａ縦断面図が示されていて、予備サイホン槽８、サイホン槽２及び分流槽４の縦断面図により、液体分流供給装置１の機能が説明される。水８４は予備サイホン槽８の下部にある流入管８２より流入し、予備サイホン槽８の水位が逆Ｕ字型の曲管８３より上方まで達した後、サイホン現象により曲管８３を通りサイホン槽２に流入する。
【００２０】  予備サイホン槽８は、予備サイホン槽本体８１と流入管８２及び曲管８３より構成されている。水８４は流入管８２を通って予備サイホン槽本体８１に流入し、曲管８３が埋没し、さらに水の流れが続くとサイホン現象により予備サイホン槽本体８１に貯留している水が一気に流出する。曲管８３は湾曲した管であるが、短い管を予備サイホン槽本体８１の内側に、長い管を予備サイホン槽８１の外側に設け、曲管流入端８５と予備サイホン槽底部８６との間には隙間が有る様に設け、また、曲管排出端８７は予備サイホン槽底部８６より下方となるように設ける。
【００２１】  予備サイホン槽８により、微量な水量の場合でも、断続的になるが、流量の大きな水流に変換できる。図３の予備サイホン槽８の流入管の位置は図３のように、予備サイホン槽８の底部に設けて下から水を流入させているが、予備サイホン槽８の上部側面の真横に設けて横方向から水を流入させてもよいし、予備サイホン槽８の上方より流下させてもよい。図３ではぽたぽたと滴下するような微量の場合の滴下流１２０が示されている。また、図３の予備サイホン槽８は角型であるが、角型以外の、例えば、円筒形でもよい。
【００２２】流入する水の勢いが弱い場合や、ぽたぽたと流れる滴下流のように、サイホン槽２でサイホン現象が発生し難い場合に、予備サイホン槽８は有効であり、逆に水の流れが強い場合は、予備サイホン槽８は必ずしも必要でなく、水を直ちにサイホン槽２へ流入させてもよい。ただし、常時予備サイホン槽８を設置しておけば、流入する水の勢いの変化に対応でき都合がよい。
【００２３】サイホン槽２はサイホン現象を引き起こす構造となっていて、サイホン槽外枠２１と槽内筒２２から構成されている。サイホン槽外枠２１は角型で底の有る角槽の形をしていて底の中央には底を貫通して有限長のサイホン溢流管２５が直立していて、サイホン溢流管２５の下部は溢流管突出部２９が底より突き出した形になっている。サイホン槽外枠２１の内側部分のサイホン溢流管２５は、上部間隙２６、側部間隙２７及び下部間隙２８により槽内筒２２と密着せずに位置が保たれている。
【００２４】  槽内筒２２は底のある円筒形のおわんを反転させたような構造をしていて、サイホン溢流管２５との間に上部間隙２６、側部間隙２７及び下部間隙２８が存在するように、槽内筒２２の上部には四方に張り出している内筒固定板２３ａ、２３ｂ、２３ｃ、２３ｄがサイホン槽外枠２１の中間部分にせり出した固定板支持２４ａ、２４ｂ、２４ｃ、２４ｄに載ったような状態となっているが、図３では断面図のため、内筒固定板２３ｃ、２３ｄと固定板支持２４ｃ、２４ｄが表示されている。
【００２５】  水の注入により水面３１の様に、槽内筒２２が水に埋没するようになり、さらに水の注入が続くとサイホン現象が起こり水３０は下降流３２、上昇流３３及び溢流３４の流れとなってサイホン溢流管２５の内側を流下し、溢流管突出部２９より排出する。下降流３２から上昇流３３へ移る時の抵抗が少ない様に内筒下端３５とサイホン槽外枠２１の底との隙間、即ち下部間隙２８は充分広くとる事が大事である。
【００２６】  サイホン現象で水３０がサイホン溢流管２５の内側を流下する時、水３０は空気を巻込む事なくサイホン溢流管２５の内部を充満して流れる事を、本発明では利用している。  すなわち、サイホン溢流管２５の管断面を断面の中心より放射状に均等に分割することにより、サイホン溢流管２５を流下する水をほぼ均等に分流できる。
【００２７】  水はサイホン溢流管２５の管内を充満して流れるが、微視的に見れば管内の１つの断面での場所場所での水の流速は異なり、サイホン溢流管２５の管断面を断面の中心より放射状に均等に分割しても水量は厳密には均等に分割されているとは限らないが、厳密さを必要としない概略均等な分割でもよい分野には好適に利用出来る。
【００２８】  サイホン槽２に流入する水が、流量が少ない場合は、槽内筒２２が水に埋没した後にさらに水が流入してもサイホン現象が起こらず、流入した量だけサイホン溢流管２５の内壁を伝って流出する場合があるが、このような場合、水はサイホン溢流管２５を充満して流れているわけではなく、サイホン溢流管２５の断面を断面の中心より放射状に均等に分割しても、水の流れを概略均等に分割する事は出来ない。
【００２９】  水量が少ない場合は、予備サイホン槽８を用いることにより、サイホン槽２にサイホン現象を起こすことが出来る。例えば、ぽたぽたと滴下する水滴流１２０のような流れでも、予備サイホン槽８により、間欠的だが流量の大きな断続流にして、サイホン槽２に流入させる事によりサイホン現象が発生できる。
【００３０】  水は溢流管突出部２９より分流槽４へ流入する。分流槽４へ流入した水は、４つの分割槽に流入し、分割槽の底部に有る４つの分流管４８ａ、４８ｂ、４８ｃ、４８ｄにより排出される。図３には分流槽４の隔壁切断面４９が示されている。
【００３１】  予備サイホン槽８とサイホン槽２の違いは、一例として、予備サイホン槽８の曲管８３の内径は６から４ｍｍ程度と細く、予備サイホン槽８の容量は２０ｃｃ程度であり、一方サイホン槽２の容量は１００〜２００ｃｃ程度であり、サイホン溢流管２５の内径は１０ｍｍ前後と曲管８３に比較して太い。すなわち、予備サイホン槽８では、ぽたぽたと流れるような微量な流れでも断続的だが流量が多く、サイホン槽２でサイホン現象が発生するような水流に変換出来る。
サイホン槽２では予備サイホン槽８から流入した水流を、サイホン現象により、さらに大きな流れに変換させ、サイホン溢流管２５を充満した流れで排出し、分流槽４で概略均等な流量を有する複数の流れに分割する。
【００３２】  ここで本発明で利用するサイホン及びその機構について説明する。一般に液体を一度高い所に上げ、低所に移すために用いる曲管をサイホンといい、液体は液面の高い方から低い方に向って引続き流れ移る。本発明でサイホン現象を起こすサイホン槽としては、通常排水設備に使われる排水トラップに類似の形状の容器を使用する。
【００３３】  排水トラップの種類のなかには、容器に多量に水が貯まると自己サイホン現象でトラップ容器内の水が一気に連続流として排出される型があり、本発明ではこのサイホン現象を利用している。
【００３４】  １つの流れを幾つかの流れに分流する場合、その流れの流量が小さく、勢いが弱い場合より流量が大きく勢いが強い場合の方が分流し易い。前記サイホン現象においてトラップより流出する水の勢いがトラップに流入する水の勢いより大になる事、つまり、微量な水の流れでも、トラップのサイホン現象により断続的だが、流量の大きい流れに変換できる。この事は、１つの流れを分流する場合、トラップのサイホン現象を利用すれば、分流し易くなる事を示している。
【００３５】  本発明では、サイホン現象を起こすトラップのうち、大きな流量の流れを得る事が出来る、わんトラップ（ベルトラップとも言われている）型の槽をサイホン槽として選定し、図３においてサイホン溢流管２５と槽内筒２２の寸法及び位置関係をより確実にサイホン現象が発生し易く、分流槽で分流し易い形状に改良し、水の流れを分流する分流槽の直前に設けている。
【００３６】  ここで注目すべきは、サイホン槽に流入する水量がサイホン現象を起こさないような流量の小さい流れでも、流入する流れを、全体としての流量は不変だが、流量の大きい断続流れに変換してサイホン槽に流入させると、サイホン槽がサイホン現象を起こす事が可能であるという事であり、本発明では上記の現象を利用していて、そのために、サイホン槽の上流に予備サイホン槽を設けている。
【００３７】  図４には液体分流供給装置のＢ−Ｂ横断面が描かれている。Ｂ−Ｂ横断面の矢印は図２及び図３に示されていて、図３ではＢ−Ｂ断面は溢流管突出部２９が分流槽４の上部に挿入されている部分の切断面を示している。図４ではサイホン槽からサイホン現象で流出する水が分流槽４で分流される過程が示されている。分流槽４は、分流槽外枠４１と４つの隔壁４２ａ、４２ｂ、４２ｃ、４２ｄにより仕切られた、４つの分割槽４３ａ、４３ｂ、４３ｃ、４３ｄで構成されている。
【００３８】  溢流管突出部２９より分流槽４に流入する水は、４つの隔壁４２ａ、４２ｂ、４２ｃ、４２ｄが集合し形成する十字形の隔壁集合凹部４４に衝突するが、溢流管突出部２９の内側の断面積は隔壁集合凹部４４により４等分されているので、分流槽４に流入する水も概略４等分され、４つの分割槽４３ａ、４３ｂ、４３ｃ、４３ｄに、分割流４７ａ、４７ｂ、４７ｃ、４７ｄとして流入し、分割槽の底部にある４つの排出口４６ａ、４６ｂ、４６ｃ、４６ｄより排出される。また、分割槽４３ａにはその上部に、分割槽４３ａと外部とを通じる通気口４５ａがある。同様に、分割槽４３ｂには通気口４５ｂがあり、分割槽４３ｃには通気口４５ｃがあり、分割槽４３ｄには通気口４５ｄがある。
【００３９】  図５には分流槽４が示されていて、図５（ａ）には分流槽４の斜視図が、また、図５（ｂ）には分流槽４の平面図が示されている。
図５（ａ）において、分流槽４は、分流槽外枠４１と４つの隔壁４２ａ、４２ｂ、４２ｃ、４２ｄにより、４つの分割槽４３ａ、４３ｂ、４３ｃ、４３ｄが構成され、分割槽４３ａにはその上部に、分割槽４３ａと外部とを通じる通気口４５ａがある。同様に、分割槽４３ｂには通気口４５ｂがあり、分割槽４３ｃには通気口４５ｃがあり、分割槽４３ｄには通気口４５ｄがある。
【００４０】  分割槽の通気口により、分割槽内の空間は大気圧に保たれ、サイホン槽内の水の流動による圧力変動とは縁切りされるので、分割槽より下流の水の流れがサイホン槽の水の動きに影響を受けずに、分割槽が独立した大気開放の水槽として作用する。また、サイホン槽についても、サイホン溢流管より下流の水の流れに影響を受けず、サイホン槽単独としてのサイホン現象が起こる。
【００４１】  分流槽４の中心部、即ち、４つの隔壁４２ａ、４２ｂ、４２ｃ、４２ｄが集合する箇所は、隔壁が若干低くなっていて、十字型の隔壁集合凹部４４を形成していて、サイホン槽２（図３参照）のサイホン溢流管２４（図３参照）の溢流管突出部２９（図３参照）が挿入されるようになっている。また、各々の分割槽の底部には分流管がある。分割槽４３ａには分流管４８ａが、分割槽４３ｂには分流管４８ｂが、分割槽４３ｃには分流管４８ｃが、分割槽４３ｄには分流管４８ｄが設けられている。
【００４２】  本発明の液体分流供給装置によれば、水の流れが微量な流れでも、ぽたぽたと滴下するような流れでも、サイホン槽において間欠的に起こるサイホン現象により、空気の巻込みの無い、管を充満するような流れに変換して、分流槽に流入させて、均等な流量の複数の流れに分流させる事が出来る。分流した水を第一実施例の園芸用水遣機の鉢へ給水する様な、低い位置にある給水先へチューブなどの導管で給水する場合、導管相互の圧力損失の違いと給水先相互の位置の高さの違いにより、給水先へ供給される水の流速が異なる。
【００４３】  本発明の液体分流供給装置では、分流槽の各々の分割槽の容積は、サイホン槽の有効貯水容量を分割槽の数で割った値以上とするのが、本発明の特徴であり、分流槽でほぼ均等に分流された水の流れを、次のサイホン現象が起きるまでの時間、分割槽に滞留出来る様にした事により、個々の分割槽から流出する水の流出速度にバラツキがあっても、分割槽に流入した水の全量が目的地に届く事が可能となる。
【００４４】  なお、前記サイホン槽の有効貯水容量とは、サイホン槽に水を注入していき、サイホン現象が開始した時点で水の注入を止めた時の、サイホン現象によりサイホン槽から流出する水量であるが、分流槽の設計には少し余裕を持たせて、サイホン槽の容積からサイホン溢流管の体積を引いた値としてもよい。
【００４５】  分割槽の容積を、サイホン槽の有効貯水容量を分割槽の数で割った値以上としたのは、分流後の水を位置のエネルギーにより自然に低い場所に供給する様な給水方法においては、個々の分割槽から流出する水の流出速度にバラツキが有っても、個々の分割槽から流出する水の全量が、サイホン現象と次のサイホン現象が起こる間の時間内に、目的の場所に供給される事が、種々の実験から、実用上の利便性の面で重要である事が判った。したがって、分流すべき水量の上限に見合った液体分流供給装置の構造と、前記液体分流供給装置と給水先との高低差と、導管の長さや太さを選定する事が必要である。
【００４６】  本発明の液体分流供給装置は、水槽から水を小量ずつ複数の流れとして取り出すのに簡単で便利な装置であり、第一実施例の園芸用水遣機の様に、微量な水を必要とする花や木の鉢（例えば、１日に１００ｍｌ程度の潅水量）に供給する様な場合、水槽の水をサイホン槽と分流槽で複数の流れに分流して、その後位置のエネルギーにより自然に流下し、目的の場所（鉢など）に流下させるような場合好適に使用できる。
【００４７】  また、本発明の液体分流供給装置を使用する事により、分流すべき水の流れが、サイホン槽で間欠的なサイホン現象を起こす様な流れでなく、流入する流量がそのままサイホン溢流管より連続流下する様な大きな流れの場合であっても、サイホン溢流管内を空気を巻き込む事なく水が充満して流れるので、分流槽で均等な流量の複数の流れに分流できる。したがって、本発明の液体分流供給装置を、大量の水、例えば、農業用水や工業用水の分流に利用出来る。
【００４８】  図５（ｂ）は分流槽４の平面図であり、４つの隔壁４２ａ、４２ｂ、４２ｃ、４２ｄと分流槽外枠４１で構成される４つの分割槽４３ａ、４３ｃ、４３ｄ及び隔壁が集中する場所にある十字型の隔壁集合凹部４４の位置関係が示されている。また、分割槽４３ａには通気口４５ａと分流管４８ａへの水の排出口４６ａが、分割槽４３ｂには通気口４５ｂと分流管４８ｂへの排出口４６Ｂが、分割槽４３ｃには通気口４５ｃと分流管４８ｃへの排出口４６ｃが、分割槽４３ｄには通気口４５ｄと分流管４８ｄへの排出口４６ｄが存在する。
【発明の第二実施例】
【００４９】  本発明の第二実施例を図６に示す。図６には第一実施例と異なる隔壁集合部６０を拡大して示すが、隔壁集合部６０以外は第一実施例の分流槽と同じなので省略する。４つの隔壁６１ａ、６１ｂ、６１ｃ、６１ｄが集合する部分には十字型の隔壁集合凸部６３があり、隔壁集合凸部６３と隔壁の間には４つの隔壁集合間隙６２ａ、６２ｂ、６２ｃ、６２ｄが有り、サイホン槽２（図３参照）のサイホン溢流管２４（図３参照）の溢流管突出部２９（図３参照）が挿入されるようになっていて、溢流管突出部２９（図３参照）から流入する水は十字型の隔壁集合凸部６３にあたり４分割され、４つの分割槽へ流入する。
【発明の第三実施例】
【００５０】  本発明の第三実施例を図７に示す。図７には第一実施例及び第二実施例とは異なる隔壁集合部７０を拡大して示すが、隔壁集合部７０以外は第一実施例の分流槽と同じなので省略する。４つの隔壁７１ａ、７１ｂ、７１ｃ、７１ｄが集合する部分には十字型の隔壁集合突出部７２があり、サイホン槽２（図３参照）のサイホン溢流管２４（図３参照）の溢流管突出部２９（図３参照）の内側に挿入出来る様になっていて、サイホン溢流管２４（図３参照）を流下する水は十字型の隔壁集合突出部７２にあたり４分割され、４つの分割槽へ流入する。
【００５１】  以上の説明では主に液体として水を用いたが、本発明の液体分流供給装置を使えば、水や水溶液のような液体を、予備サイホン槽に流入させる位置まで導入した後は、サイホン現象を利用した分流槽により、動力を使わずに、複数の流れに分流できる。
【００５２】  本発明の液体分流供給装置の応用できる分野は園芸の分野に限らず、分流の精度が特に必要でないような分野、例えば農業用水の分配方法や、工業方面での水の分配方法や生活水の分配方法など多岐にわたる。
【００５３】  また、実施例では１つの水の流れを４つに分流しているが、分流数は４つに限定したものでなく、４つ以外の例えば、２つ、３つ、５つなどでも良い、但し、１０などの分流数が大きい場合は分流の精度が落ちるので極端に大きい分流数は好ましくない。
【００５４】  実験結果によれば、１つの流れを本発明の液体分流供給装置により４つに分流する場合で、実際は３つの分流水が必要な場合、１つの分流管に接続してあるチューブをコックなどで停止させると、水の流れが残りの３つの分流管にほぼ均等に流出することが判った。このことより、本発明の液体分流供給装置では、設計上の分流数より少ない数の分流は可能であり、利便性の高い液体分流供給装置と判断される。
【００５５】  本発明の液体分流供給装置の実施例では、予備サイホン槽、サイホン槽及び分流槽を角型に仕上げているが、角型に限定するものでなく、他の形状例えば円筒状でもよい。
【発明の効果】
【００５６】  本発明によれば、水や水溶液などの液体の流れを、簡単な装置で複数の流れに分流できる。特に、微量な液体の流れや、ぽたぽたと滴下するような滴下流でも複数の流れに分流できる特徴を有するので、微量を必要とする場所や物への給液装置として便利であり、例えば、鉢植えの花や木に給水する装置等に適する。また、本発明の液体分流供給装置は、動力を必要とせず簡単な構造であり、流量の大きい農業用水や工業用水の分流にも好適に利用できる。
【図面の簡単な説明】
【００５７】
【図１】本発明の第一実施例の説明図である。
【図２】本発明の液体分流供給装置の説明図である。
【図３】液体分流供給装置のＡ−Ａ縦断面図である。
【図４】液体分流供給装置のＢ−Ｂ横断面図である。
【図５】分流槽の斜視図と平面図である。
【図６】第二実施例の説明図である。
【図７】第三実施例の説明図である。
【符号の説明】
【００５８】１−−−−−液体分流供給装置
２−−−−−サイホン槽
４−−−−−分流槽
８−−−−−予備サイホン槽
２１−−−−−サイホン槽外枠
２２−−−−−槽内筒
２３ａ、２３ｂ、２３ｃ、２３ｄ−−−−−内筒固定板
２４ａ、２４ｂ、２４ｃ、２４ｄ−−−−−固定板支持
２５−−−−−サイホン溢流管
２６−−−−−上部間隙
２７−−−−−側部間隙
２８−−−−−下部間隙
２９−−−−−溢流管突出部
３０−−−−−水
３１−−−−−水面
３２−−−−−下降流
３３−−−−−上昇流
３４−−−−−溢流
３５−−−−−内筒下端
４１−−−−−分流槽外枠
４２ａ、４２ｂ、４２ｃ、４２ｄ−−−−−隔壁
４３ａ、４３ｂ、４３ｃ、４３ｄ−−−−−分割槽
４４−−−−−隔壁集合凹部
４５ａ、４５ｂ、４５ｃ、４５ｄ−−−−−通気口
４６ａ、４６ｂ、４６ｃ、４６ｄ−−−−−排出口
４７ａ、４７ｂ、４７ｃ、４７ｄ−−−−−分割流
４８ａ、４８ｂ、４８ｃ、４８ｄ−−−−−分流管
４９−−−−−隔壁切断面
６０−−−−−隔壁集合部
６１ａ、６１ｂ、６１ｃ、６１ｄ−−−−−隔壁
６２ａ、６２ｂ、６２ｃ、６２ｄ−−−−−隔壁集合間隙
６３−−−−−隔壁集合凸部
７０−−−−−隔壁集合部
７１ａ、７１ｂ、７１ｃ、７１ｄ−−−−−隔壁
７２−−−−−隔壁集合突出部
８１−−−−−予備サイホン槽本体
８２−−−−−流入管
８３−−−−−曲管
８４−−−−−水
８５−−−−−曲管流入端
８６−−−−−予備サイホン槽底部
８７−−−−−曲管排出端
１００−−−−−園芸用水遣機
１０１−−−−−水槽
１０２−−−−−架台
１０３−−−−−水車
１０４−−−−−固定屋根
１０５−−−−−太陽パネル
１０６−−−−−風見鶏
１０７−−−−−可動屋根
１０８−−−−−スイッチ
１０９ａ、１０９ｂ、１０９ｃ、１０９ｄ−−−−−分流管
１１０ａ、１１０ｂ、１１０ｃ、１１０ｄ−−−−−チューブ
１１１ａ、１１１ｂ、１１１ｃ、１１１ｄ−−−−−鉢
１１２−−−−−屋根保持棒
１１３−−−−−窓模様
１１４−−−−−窓模様
１１５−−−−−板塀模様
１１６−−−−−煉瓦模様
１１７−−−−−苔模様
１１８−−−−−蓋
１１９−−−−−分流管外套
１２０−−−−−滴下流
【図１】
2007195525.tif 000003
【図２】
2007195525.tif 000004
【図３】
2007195525.tif 000005
【図４】
2007195525.tif 000006
【図５】
2007195525.tif 000007
【図６】
2007195525.tif 000008
【図７】
2007195525.tif 000009